(57)【特許請求の範囲】
【請求項１】
ゴルフクラブによるアドレスの際のロフト角、ライ角、及びフェース面の向きの狂いを検出するゴルフアドレスのズレ検出装置であって、
前記ゴルフクラブのフェース面に配置された光反射部と、
上下方向にライン状に広がった複数の照射光を前記光反射部に照射するように構成されたラインレーザからなる光照射部と、
前記ラインレーザから照射されて前記光反射部で反射された反射光を受光して表示する受光部と、
を備えており、
前記光反射部は、二つの平面鏡と鏡台座とを備えており、
前記鏡台座は、裏面にゴルフクラブのフェース面に取り付けられる取付部を備えていると同時に、前側に垂直面とテーパ面とを備えており、
前記鏡台座の前記垂直面に一方の前記平面鏡が配置され、且つ前記鏡台座の前記テーパ面に他方の前記平面鏡が配置されることで、上下方向に向けて凹状に曲折した光反射部が形成されており、
ゴルフクラブによるアドレスの際において、前記受光部上における前記反射光の形態の違いによって、前記ロフト角、ライ角、及びフェース面の向きの狂いを互いに区別して検出できることを特徴とするゴルフアドレスのズレ検出装置。
【請求項２】
前記反射光の形態の違いは、受光部上における反射光の位置の違い、反射光の断面形状の違い、反射光の断面形状の傾きの違い、又は反射光の断面形状の縮尺の違いであることを特徴とする請求項１に記載のゴルフアドレスのズレ検出装置。
【請求項３】
アドレスの際のロフト角、ライ角、及びフェース面の向きの狂いを数値化する目盛りを受光部に設けたことを特徴とする請求項１又は２に記載のゴルフアドレスのズレ検出装置。
【発明の詳細な説明】
【技術分野】
【０００１】
本発明は、ゴルフクラブによるアドレスの際のロフト角、ライ角、およびフェース面の向きの狂いを検出するゴルフアドレスのズレ検出装置に関する。
【背景技術】
【０００２】
図４５乃至図５３は背景技術を示す。ゴルフクラブによるアドレスを分析する要素として、ロフト角、ライ角、及びフェース面の向きが一般的に知られている。ここで、ロフト角とは、図４５に示すように、ゴルフクラブによるアドレスの際において、ゴルフパターの側面から観て、フェース面とシャフトとの成す角である。又、ライ角とは、図４６に示すように、ゴルフクラブによるアドレスの際において、ゴルフパターの正面から観て、シャフトと地面との成す角である。
【０００３】
次に、ロフト角、ライ角、及びフェース面の狂いについて説明する。例えば、グリーン上においてパッティングする場合、グリーン上の起伏、芝目の方向や芝の堅さ、或いは、パッティング地点からホールまでの距離、ゴルファーの体型やフォーム等のパッティング時の状況によって、パッティング時の理想的なアドレスが決まり、理想的なロフト角、ライ角、及びフェース面の向きが決定する。
【０００４】
ロフト角の狂いとは、ゴルフフォームの実際のロフト角が、理想的なロフト角とは異なっていることをいう。又、ライ角の狂いとは、ゴルフフォームの実際のロフト角が、理想的なロフト角とは異なっていることをいう。更に、フェース面の向きの狂いとは、ゴルフフォームにおいて実際のフェース面の向きが、フェース面の理想的な向きとは異なっていることをいう。
【０００５】
又、ロフト角、ライ角、フェース面の向きに狂いが生じる原因としては、ゴルフクラブの選択が誤っている場合や、ゴルフクラブの選択は正しいがゴルフフォームに狂いが生じている結果として、ゴルフクラブによるアドレスの際に、ロフト角、ライ角、フェース面の向きに狂いが生じる場合がある。
【０００６】
次に、フェース面の向きの狂いが生じた場合の問題について説明する。図４７（ｂ）はフェース面が正常の場合を示す。図４７（ａ）及び図４８（ｃ）はフェース面の向きに狂いが生じている場合を示す。図４７ｂ）に示す正常の場合には、フェース面の向きがホールの方向を向いているのに対し、図４７（ａ）及び図４７（ｃ）の場合には、フェース面の向きがホールの方向を向いていないため、フェース面の向きが悪い。
【０００７】
次に、ロフト角に狂いが生じている場合の問題について説明する。図４８（ｂ）はロフト角が０度の状態を示す。図４８（ａ）はロフト角が一般的な場合を示す。図４８（ｃ）はロフト角が大きい場合を示す。このように、ロフト角の違いによってボールの打ち出し方向は異なったものとなり、このため、ロフト角の狂いは、ゴルフのパッティング距離に大きな影響を与えるものである。
【０００８】
次に、ライ角に狂いが生じている場合の問題について説明する。ライ角に狂いが生じている場合、該ライ角の狂いがフェース面の狂い、及び、ロフト角の狂いとなって表面化するという問題がある。
【０００９】
先ず、該ライ角の狂いがフェース面の狂いとなって表れる理由について説明する。図４９（ａ）はフェース面を正面から観た状態の図であって、ボールをパッティングする際の状態を示す。同図４９（ａ）中、実線はフェース面が正常の状態を示す、又、同図中、点線は、ヒールアップの状態のフェース面を示す。図４９（ｂ）は、図４９（ａ）中、フェース面を水平面Ｓによって切断し、上方から観たフェース面の切断端面の傾斜を示す図である。同図４９（ｂ）中、実線は、正常状態にあるフェース面の切断端面を示す。又、同図４９（ｂ）中、点線は、ヒールアップの状態にあるフェース面の切断端面を示す。同図４９（ｂ）に示すように、正常状態にあるフェース面の切断端面を基準にした場合、ヒールアップの状態のフェース面の切断端面は傾斜している。このため、正常状態にあるフェース面でボールをパッティングした場合、当該ボールはホールの方向（同図中、実線で示す方向）へ向けて転がることができるのに対し、ヒールアップの状態にあるフェース面でボールをパッティグした場合には、ホールの方向から外れた方向（同図中、点線で示す方向）へボールが転がってしまうという現象がある。つまり、ライ角に狂いが生じた場合には、フェース面の向きに狂いが生じるという問題があった。
次に、図５０に基づき、ライ角の狂いがフェース面の狂いとなって表れる理由について説明する。図５０（ａ）はフェース面を正面から観た状態の図であって、ボールをパッティングする際の状態を示す。同図５０（ａ）中、実線はフェース面が正常の状態を示す、又、同図５０（ａ）中、点線は、ヒールアップの状態のフェース面を示す。図５０（ｂ）は、図５０（ａ）中、フェース面を垂直面Ｔによって切断し、側方（矢示方向）から観たフェース面の傾斜を示す図である。同図５０（ｂ）中、実線は、正常状態にあるフェース面の傾斜を示す。又、同図５０（ｂ）中、点線は、ヒールアップの状態にあるフェース面の傾斜を示す。同図５０（ｂ）に示すように、正常状態にあるフェース面の切断端面を基準にした場合、ヒールアップの状態のフェース面の切断端面は傾斜している。このため、正常状態にあるフェース面でボールをパッティングした場合、当該ボールは同図中、実線で示す打球方向を通って転がるのに対し、ヒールアップの状態にあるフェース面でボールをパッティグした場合には、同図中、点線で示す打球方向を通って転がるという現象がある。つまり、ライ角に狂いが、ロフト角の狂いとなって表れるという問題があった。
【００１０】
更に、ゴルフクラブによるアドレスの際のロフト角、ライ角、及びフェース面の向きの狂いは、ゴルフクラブの選択の誤りによって生じる場合もある。
【００１１】
以上説明したように、ロフト角、ライ角、及びフェース面の向きの狂いは、それぞれが単独で発生する場合もあり、又、相互に影響し合って、生じる場合もあるため、打球方向の狂いの原因が、ロフト角、ライ角、及びフェース面の向きの何れの狂いに基づくものであるか検出することは極めて困難であり、そのため、ゴルフフォームを適切に矯正することが困難であり、又、自己に適切なゴルフクラブを選択することが困難であった。
【００１２】
ゴルフフォームの狂いを検出するためのパッティング練習機に関する発明が、特許文献１に記載されている。
【特許文献１】特開２００２−１５９６０６
【００１３】
当該パッティング練習機は、裏面に両面粘着テープが貼り付けられた反射板を、パターのフェース面に付けて、レーザ光源から照射されたレーザ光線を反射させて、投影板に投影するように構成されている。
【発明の開示】
【発明が解決しようとする課題】
【００１４】
しかしながら、当該特許文献によれば、ゴルフフォームに狂いが生じている場合には、投影板に投影された投影光が正常の位置からズレることにより、投影光の位置に基づきゴルフフォームに狂いが生じていることを検出することができたとしても、当該ゴルフフォームの狂いが、ロフト角、ライ角、フェース面の向きの狂いの何れの狂いが原因であるかまでを検出することができないものであった。このように、ゴルフフォームの狂いが特定されないため、ゴルフフォームの矯正が困難であるという問題があった。
【００１５】
又、フェース面に発光部を設け、該発光部から出力された照射光を受光部に写し、該受光部上における照射光の形態によって、ゴルフアドレスのズレを検出する装置も可能であるが、特許文献１と同様にゴルフフォームの狂いを検出することはできても当該ゴルフフォームの狂いが、ロフト角、ライ角、フェース面の向きの狂いの何れの狂いが原因であるか明確に検出することができない。
【００１６】
又、図５１乃至図５３は、ゴルフアドレスのズレを検出する装置として、既に、実施されているもの概略を示す。当該装置は、光照射部１０１を装置本体１０２に設け、該光照射部１０１から照射されたポイント状のレーザ光を反射する光反射板１０３をパター１０４のフェース面に設け、該光反射板１０３で反射されたレーザ光を受光部１０５に投影するようにした構成である。
【００１７】
そして、受光部１０５に投影された投影光の位置に基づき、後述するように、ゴルフフォームの狂いを検出することを意図した装置である。
【００１８】
図５３は、ロフト角、ライ角、フェース面の向きに正常の場合と、狂いが生じている場合とにおける投影光の位置を示す。同図５３中、黒点は投影光の位置を示す。
【００１９】
しかしながら、当該背景技術においては、図５３中において、ライ角が正常又は狂いが生じている場合と、フェース面が正常又は狂いが生じている場合とを比較した場合、同図４６から明らかなように、ライ角に狂いが生じている場合の投影光の位置と、フェース面に狂いが生じている場合の投影光の位置とは互いに同じであって、両者の区別ができない。
【００２０】
このような、現象が生じる原因は、前述したように、ライ角の狂いがフェース面の狂いとして表れることに基づくものである。
【００２１】
本発明は、前述した背景技術の問題に鑑みてなされたもので、その目的は、ゴルフクラブによるアドレスの際に狂いが生じている場合、その原因が、ロフト角の狂い、ライ角の狂い、及び、フェース面の向きの狂いの何れに基づくものかを検出することができるようにしたゴルフクラブによるアドレスの際のズレ検出装置を提供することを目的とするものである。かかるゴルフクラブによるアドレスの際のズレを正確に検出することで、ゴルファーのフォームの誤りを矯正又はクラブをゴルファーにあわせて調整又はゴルフクラブの選択の誤りの矯正を図ることができる。
【課題を解決するための手段】
【００２２】
ゴルフクラブによるアドレスの際において、該光反射部で反射された反射光の形態の違いによって、前記ロフト角、ライ角、及びフェース面の向きの狂いを互いに区別して検出できることを特徴とするものである。
請求項１に記載の発明は、ゴルフクラブによるアドレスの際のロフト角、ライ角、及びフェース面の向きの狂いを検出するゴルフアドレスのズレ検出装置であって、
前記ゴルフクラブのフェース面に配置された光反射部と、
上下方向にライン状に広がった複数の照射光を前記光反射部に照射するように構成されたラインレーザからなる光照射部と、
前記ラインレーザから照射されて前記光反射部で反射された反射光を受光して表示する受光部と、
を備えており、
前記光反射部は、二つの平面鏡と鏡台座とを備えており、
前記鏡台座は、裏面にゴルフクラブのフェース面に取り付けられる取付部を備えていると同時に、前側に垂直面とテーパ面とを備えており、
前記鏡台座の前記垂直面に一方の前記平面鏡が配置され、且つ前記鏡台座の前記テーパ面に他方の前記平面鏡が配置されることで、上下方向に向けて凹状に曲折した光反射部が形成されており、
ゴルフクラブによるアドレスの際において、前記受光部上における前記反射光の形態の違いによって、前記ロフト角、ライ角、及びフェース面の向きの狂いを互いに区別して検出できることを特徴とするものである。
【００２３】
（削除）  
【００２４】
請求項２に記載の発明は、請求項１に記載のゴルフアドレスのズレ検出装置において、前記反射光の形態の違いは、受光部上における反射光の位置の違い、反射光の断面形状の違い、反射光の断面形状の傾きの違い、又は反射光の断面形状の縮尺の違いであることを特徴とするものである。
【００２５】
（削除）  
【００２６】
（削除）  
【００２７】
（削除）  
【００２８】
（削除）  
【００２９】
（削除）  
【００３０】
（削除）  
【００３１】
請求項３に記載の発明は、請求項１又は２の何れか１項に記載のゴルフアドレスのズレ検出装置において、アドレスの際のロフト角、ライ角、及びフェース面の向きの狂いを数値化する目盛りを受光部に設けたことを特徴とするものである。
【００３２】
（削除）  
【００３３】
（削除）  
【００３４】
（削除）  
【００３５】
（削除）  
【００３６】
（削除）  
【００３７】
（削除）  
【００３８】
（削除）  
【００３９】
（削除）  
【００４０】
（削除）  
【００４１】
（削除）  
【００４２】
（削除）  
【発明の効果】
【００４３】
請求項１に記載の発明によれば、反射光の形態によって、ゴルフクラブのアドレスの際の狂いが、ロフト角、ライ角、及びフェース面の向きの狂いの何れに基づくものであるかを明確に区別することができる。
【００４４】
（削除）  
【００４５】
（削除）  
【００４６】
（削除）  
【００４７】
（削除）  
【００４８】
（削除）  
【００４９】
（削除）  
【００５０】
本発明によれば、光照射部からライン状の照射光を照射し、受光部における反射光の位置の違いによって、ゴルフクラブのアドレスの際の狂いが、ロフト角、ライ角、及びフェース面の向きの狂いの何れに基づくものであるかを明確に区別することができる。
【００５１】
本発明によれば、レーザ光によって、ゴルフクラブのアドレスの際の狂いが、ロフト角、ライ角、及びフェース面の向きの狂いの何れに基づくものであるかを明確に区別することができる。
【００５２】
（削除）  
【００５３】
本発明によれば、ゴルフクラブのアドレスの際の狂いが、ロフト角、ライ角、及びフェース面の向きの狂いを数値化することができる。
【００５４】
（削除）  
【００５５】
（削除）  
【００５６】
（削除）  
【００５７】
（削除）  
【００５８】
（削除）  
【００５９】
（削除）  
【００６０】
（削除）  
【００６１】
（削除）  
【００６２】
（削除）  
【００６３】
（削除）  
【００６４】
（削除）  
【発明を実施するための最良の形態】
【００６５】
図１乃至図１２は第１実施形態を示す。図１は、ゴルフアドレスのズレ検出装置１と、該ズレ検出装置１の前側で、顧客がゴルフクラブＧを構えてアドレスの姿勢を採った状態の斜視図を示す。図２は、光照射部２と、光反射部３と、受光部４の位置関係を示す概略図である。図３は、光反射部３の斜視図である。図４乃至図１２は作用を説明する図である。
【００６６】
図１乃至図３に示すように、ゴルフアドレスのズレ検出装置１は、照射光Ｓを照射する光照射部２と、該照射光Ｓを反射光Ｈとして反射する光反射部３と、該光反射部３で反射された反射光Ｈを表示する受光部４とを備えている。
【００６７】
前記光照射部２は筐体５内に収容されている。該光照射部２は、電源スイッチ（図示せず）を投入することによって照射光Ｓを光反射部に向けて出力する光学機器である。
【００６８】
又、前記光反射部３は、図２に示すように、ゴルフクラブＧのフェース面Ｆに接着やビス止め等の手段によって設けられるものである。
【００６９】
又、前記筐体５の表面は、前記受光部４になっている。
【００７０】
該受光部４の下部には、孔６が開けられている。該孔６の内側には、前記光照射部２が設けられ、該光照射部２から出力された照射光Ｓは該孔６から筐体５外へ照射されるようになっている。前記照射光Ｓとは、前記光照射部２から出力される光であって、例えば、レーザ光が該当する。そして、照射光Ｓとしてレーザ光を用いた場合には、光照射部２は、ポイントレーザを備えることができる。該ポイントレーザとは、断面がポイント状のレーザ光を出力する光学機器である。又、ポイント状とは、一定の広さを有する円形又は多角形であって、レーザ光の照射位置を示すことのできる形状を意味するものとする。
【００７１】
図２に示すように、光照射部２ａ、２ｂは、垂直方向へ向けて間欠的に二つ設けられて、前記光反射部３に向けて二つの照射光Ｓ１、Ｓ２を照射できるようになっている。又、該光照射部２が設けられている位置には、ボールをパッティングする際の目的位置となるホール位置を示すホール目印７が設けられている。該ホール目印７は、ゴルフマット８に設けてもよい。
【００７２】
前記光反射部３は、前述のように、ゴルフクラブＧのフェース面Ｆに取り付けられるものであって、前記光反射部３は、このように、ゴルフクラブＧのフェース面Ｆに取り付けられた状態で、該ゴルフクラブＧの斜め前方から観た場合、図３に示すように、上下方向に向けて凹状に曲折した形状になっている。同図３に示すように、光反射部は鏡台座９と、二つの平面鏡１０，１１とを備えている。鏡台座９は、前側に垂直面１２とテーパ面１３とが形成され、裏面は取付面１４となって、該取付面１４がフェース面Ｆに取付られるようになっている。図４に示すように、前記二つの平面鏡１０，１１は、例えば、互いに１．８度を成すように設けられている。ここで、前記各平面鏡１０、１１は、各各平面鏡１０、１１に前記照射光Ｓ１，Ｓ２が１つづつ照射される大きさに形成されている。
【００７３】
又、図１に示すように、前記受光部４の表面には、縦線及び横線が記載されて、受光部４の表面に反射された照射光Ｋの位置を特定し易くなっている。
【００７４】
次に、図１、図２を参照しながら、光照射部２、光反射部３、及び受光部４の位置関係について説明する。図１に示すように、顧客がホール目印７に向けてボールをパッティングをするべく、顧客がゴルフクラブＧを構えてアドレスの姿勢を採っているとする。
【００７５】
前記光照射部２から出力された照射光Ｓ１，Ｓ２は、図２に示すように、床Ｙに平行であって、且つ、顧客が構えたゴルフクラブＧのフェース面Ｆに正面から照射される位置に設けられている。又、前記受光部４は、ゴルフクラブＧに設けられた光反射部３で反射された反射光Ｈが到達してその到達位置を特定できる大きさに設けられている。
【００７６】
次に、作用について説明する。図１に示すように、顧客がゴルフクラブＧを構えたアドレスの姿勢をとる。その後、光照射部２の電源スッチを投入して、該光照射部２から照射光Ｓ１、Ｓ２を出力する。
【００７７】
該照射光Ｓ１、Ｓ２は、ゴルフクラブＧのフェース面Ｆに設けられた光反射部３で反射され、反射光Ｈ１、Ｈ２となって受光部４に到達して表示される。
【００７８】
そして、仮に、ゴルフクラブＧによるアドレスの際のロフト角、ライ角、及びフェース面の向きの狂いがなく、正常であるとする。
【００７９】
この場合、図５に示すように、ゴルフクラブＧのクラブヘッドＫはＸ軸、Ｙ軸、Ｚ軸を中心としてズレ（変位）を起こしていない。図６は、受光部４上に到達した二つの反射光Ｈ１、Ｈ２の位置と、二つの光照射部２ａ、２ｂの位置とを重ねて表示した状態の図である。このように、顧客のゴルフアドレスが正常の場合には、二つの照射光Ｓ１、Ｓ２は光反射部３で図５に示すように反射されて受光部４に表示されるが、その位置は、図６に示すように、二つの光照射部２ａ、２ｂを挟むようにして垂直方向へ一列に並んだ位置関係にある。
【００８０】
次に、顧客のゴルフアドレスのロフト角に狂いが生じているとすると、図７に示すように、クラブヘッドＫはＹ軸を中心として回転するようにズレを起こしている。この場合、図７に示すように、二つの照射光Ｓ１、Ｓ２は光反射部３で図示のように反射されて受光部４に表示されるが、その位置は、図８に示すように、二つの光照射部２ａ、２ｂの上位であって垂直方向へ一列に並んだ位置関係にある。
【００８１】
次に、顧客のゴルフフォームのライ角に狂いが生じているとすると、図９に示すように、クラブヘッドＫはＸ軸を中心として回転するようにズレを起こしている。この場合、図９に示すように、二つの照射光Ｓ１、Ｓ２は光反射部３で図示のように反射され、反射光Ｈ１、Ｈ２となって受光部４に表示されるが、反射光Ｈ１、Ｈ２の位置は、図１０に示すように、二つの光照射部２ａ、２ｂを斜め方向から挟むように並んだ位置関係にある。
【００８２】
次に、顧客のゴルフフォームにおいて、フェース面の向きに狂いが生じているとすると、図１１に示すように、クラブヘッドＫはＺ軸を中心として回転するように位置ズレを起こしている。この場合、同図１１に示すように、二つの照射光Ｓ１、Ｓ２は光反射部３で図示のように反射され、反射光Ｈ１、Ｈ２となって受光部４に表示されるが、反射光Ｈ１、Ｈ２の位置は、図１２に示すように、二つの光照射部２ａ、２ｂから水平方向へズレを起こし、且つ、垂直方向へ互いに離間して並ぶ位置関係にある。
【００８３】
以上説明したように、ゴルフクラブのアドレスの際にロフト角に狂いが生じている場合、ライ角に狂いが生じている場合、フェース面の向きに狂いが生じている場合と、これらの狂いが生じていない正常の場合とでは、図４乃至図１２に示すように、二つの光照射部２ａ、２ｂの位置と、二つの反射光Ｈ１、Ｈ２の位置との位置関係がそれぞれ異なる。
【００８４】
即ち、受光部４に表示された反射光Ｈ１、Ｈ２の位置が互いに異なるため、図４乃至図１２に示すように、二つの光照射部２ａ、２ｂの位置と、二つの反射光Ｈ１、Ｈ２の位置との位置関係から、ロフト角に狂いが生じている場合、ライ角に狂いが生じている場合、フェース面の向きに狂いが生じている場合と、これら狂いが生じていない正常の場合とを互いに明確に区別することができる。つまり、ゴルフクラブＧによるアドレスの際のロフト角の狂い、ライ角の狂い、フェース面の向きの狂いを明確に区別することができる。
【００８５】
そして、例えば、図７、図８に示すように、ロフト角に狂いが生じている場合、ゴルフフォームを矯正して、ロフト角を修正することにより、図５、図６に示すように、ロフト角の正常の状態にするか、又は、適切なゴルフクラブＧを選択する、又は、ゴルフォームに適するようにゴルフクラブを調整することにより、図５、図６に示すように、ロフト角を正常の状態にすることができる。
【００８６】
又、例えば、図９、図１０に示すように、ライ角に狂いが生じている場合、ゴルフフォームを矯正して、ライ角を修正することにより、図５、図６に示すように、ライ角を正常の状態にするか、又は、適切なゴルフクラブを選択する、又はゴルフォームに適するようにゴルフクラブを調整することにより、図５、図６に示すように、ライ角を正常の状態にすることができる。又、例えば、図１１、図１２に示すように、フェース面の向きに狂いが生じている場合には、フェース面の向きを正すようにゴルフフォームを矯正し、又は、自己に適切なゴルフクラブを選択する、又はゴルフォームに適するようにゴルフクラブを調整することにより、図５、図６に示すように、フェース面の向きを正常の状態にすることができる。
【００８７】
図１３は、参考例１を示す。この参考例１の特徴は、光反射部３を二つの平坦面状の光反射面１１ａ、１１ｂを凸状に組み合わせて形成した点にある。この参考例１においても、第１実施形態と同様に、ゴルフクラブのアドレスの際にロフト角に狂いが生じている場合、ライ角に狂いが生じている場合、フェース面の向きに狂いが生じている場合と、これらの狂いが生じていない正常の場合とでは、図４乃至図１２に示すように、二つの光照射部２ａ、２ｂの位置と二つの反射光の表示位置との位置関係がそれぞれ異なる。このため、第１実施形態と同様に、ゴルフクラブのアドレスの際にロフト角に狂いが生じている場合、ライ角に狂いが生じている場合、フェース面の向きに狂いが生じている場合と、これらの狂いが生じていない正常の場合とを、受光部上に表示された反射光の位置の違いによって明確に区別することができて、矯正をすることが可能である。
【００８８】
図１４、図１５は参考例２を示す。この参考例２の特徴は、光反射部３を図１４に示すように、上下方向（矢示方向）に凸状の湾曲面となった形状になっている。光照射部は垂直方向に二つ設けられて、二つの照射光Ｓ１、Ｓ２を出力するようになっている。
【００８９】
図１５中、黒点はこの参考例２において受光部４に表示された反射光の位置を示す。この参考例２において、受光部４に表示された二つの反射光の位置は、第１実施形態と同様な位置を示す。このため、この参考例２においても、第１実施形態と同様に、受光部４における反射光の位置に基づき、ゴルフクラブのアドレスの際にロフト角に狂いが生じている場合、ライ角に狂いが生じている場合、フェース面の向きに狂いが生じている場合と、これらの狂いが生じていない正常の場合とを互いに明確に区別することができる。ゴルフクラブのアドレスの際にロフト角に狂いが生じている場合、ライ角に狂いが生じている場合、フェース面の向きに狂いが生じている場合には、それぞれの場合に応じて的確に矯正等することができる。
【００９０】
図１６、図１７に第１実施形態を示す。この第１実施形態の特徴は、光照射部２を、垂直方向に向けてライン状に広がった照射光Ｓ、即ち、垂直方向へ向けて線状に広がった照射光Ｓを出力する、いわゆる、ラインレーザで構成した点にある。ラインレーザの構成については後述する。光反射部３の形状は、図２に示す本実施形態の光照射部３と同様の形状である。
【００９１】
第１実施形態において、図１７に示すように、ロフト角が正常の場合には、二つの反射光が受光部４の左右方向及び上下方向の中央で上下に設けられた位置にある。又、ロフト角がハンドレイトの場合には、二つの反射光が、受光部４の左右方向の中央であって、受光部４の上部に上下に設けられた状態にある。一方、ロフト角がハンドファーストの場合には、二つの反射光が、受光部４の左右方向の中央であって、受光部４の下部に上下に設けられた状態にある。
【００９２】
又、ライ角が正常の場合には、二つの反射光が受光部４の左右方向及び上下方向の中央で上下に設けられた位置にある。又、ライ角がアップライトの場合には、ライ角が正常の場合に比較して、上側の反射光が右側に移動し、下側の反射光が左側に移動する。更に、ライ角がフラットの場合には、ライ角が正常の場合に比較して、上側の反射光が左側に移動し、下側の照射光が右側に移動する。このように、ライ角に狂いが生じている場合には、二つの反射光が互いに左右方向へズレるように表れるため、ライ角の狂いが仮に僅かの場合であっても、二つの反射光の位置関係から容易にライ角の狂いを認識することができる。
【００９３】
更に、フェース面が正常の場合には、二つの反射光が受光部４の左右方向及び上下方向の中央で上下に設けられた位置にある。又、フェース面がオープンの場合には、二つの反射光が、受光部４の上下方向の中央であって、受光部４の右部に上下に設けられた状態にある。一方、フェース面がクローズの場合には、二つの反射光が、受光部４の上下方向の中央であって、受光部４の左部に上下に設けられた状態にある。
【００９４】
第１実施形態においては、図１７に示すように、受光部４に表示された二つの反射光の位置の違いによって、ゴルフクラブのアドレスの際のロフト角に狂いが生じている場合、ライ角に狂いが生じている場合、フェース面の向きに狂いが生じている場合と、これら狂いが生じていない正常の場合とを明確に区別することができる。つまり、ゴルフクラブによるアドレスの際のロフト角の狂い、ライ角の狂い、フェース面の向きの狂いを明確に分析して区別することができる。このため、ゴルフフォームを矯正し、又は、適切なゴルフクラブを選択することにより、ロフト角の狂い、ライ角の狂い、フェース面の向きの狂いを矯正することができる。
【００９５】
次に、前述したラインレーザＲの構成について説明する。図１８に示すように、ラインレーザＲは、ポイントレーザＰの前側にシリンドリカルレンズ（円柱状レンズ）を設けた構成である。このように構成されたラインレーザＲにおいては、ポイントレーザＰから出力されたポイント状のレーザ光はシリンドリカルレンズを通過する際に屈折して、上下方向にライン状に広がることにより、ライン状のレーザ光が出力するようになっている。
【００９６】
図１９はラインレーザＲの別の構成図を示す。同図１９において、Ｐはポイントレーザを示す。ポイントレーザＰから出力される照射光は、回転自在に支持された回転ミラーＮで反射されるようになっている。回転ミラーＮを同図中、矢示方向へ揺動させることにより、ポントレーザーＰから出力され、回転ミラーで反射されたレーザ光は、同図１９中、矢示方向（図面では上下方向）へ往復動することにより、上下方向へライン状のレーザ光が出力されるようになっている。
【００９７】
図２０、図２１は、参考例３を示す。この参考例３の特徴は、第１実施形態と比較して、図２０に示すように、光反射部３を、垂直方向へ向けて凹状の湾曲面状に形成した点にある。光照射部２を１つのラインレーザＲで構成した点については、第１実施形態と同様である。
【００９８】
図２１に示すように、この参考例３において、ロフト角が正常の場合には、反射光が受光部４の左右方向及び上下方向の中央において、縦長状に表れる。又、ロフト角がハンドレイトの場合には、反射光は受光部４の左右方向の中央であって、受光部４の上部に縦長状に表れる。更に、ロフト角がハンドファーストの場合には、反射光は受光部４の左右方向の中央であって、受光部４の下部に縦長状の形態に表れる。
【００９９】
又、ライ角が正常の場合には、ライ角が正常の場合には、反射光が受光部４の左右方向及び上下方向の中央において、縦長状の形態に表れる。又、ライ角がアップライトの場合には、反射光は受光部４の左右方向及び上下方向の中央において、右下がりの形態に表れる。更に、ライ角がフラットの場合には、反射光は受光部４の左右方向及び上下方向の中央において、右上がりの形態に表れる。このように、ライ角に狂いが生じている場合には、反射光の断面形状の傾きの変化として表れるため、仮に、ライ角に狂いが生じている場合には、明確に検出することができる。
【０１００】
更に、フェース面が正常の場合には、反射光が受光部４の左右方向及び上下方向の中央において、縦長状の形態に表れる。又、フェース面がオープンの場合には、反射光は受光部４の右部において、上下方向へ縦長の形態に表れる。更に、フェース面がクローズの場合には、反射光は受光部４の左部において、縦長の形態に表れる。
【０１０１】
このように、受光部４に表示された反射光の位置や反射光の断面形状の傾きによって、ロフト角の狂い、ライ角の狂い、フェース面の向きの狂い同士を明確に分析することができる。但し、この参考例３においては、光反射部３が連続した湾曲面で構成されているため、図１７に示す第１実施例と比較して、図２１に示すように、受光部４に表示された反射光は連続した線状になる。
【０１０２】
図２２、図２３、図２４は、参考例４を示す。図２２はゴルフクラブのフェース面Ｆに取り付けられた光反射部３を該フェース面Ｆの正面側から観ている状態を示し、図２３は光反射部３の側面図を示し、図２４は受光部４に表れた反射光の状態を示す図である。
【０１０３】
この参考例４の特徴は、光照射部２を五つ設け、光反射部３を、垂直方向へ向けて並んだ３つの平坦面１２ａ、１２ｂ、１２ｃで構成した点にある。そして、図２２に示すように、中央の平坦面１２ｂには１つの光反射部からの照射光が照射され、他の二つの平坦面１２ａ、１２ｃにはそれぞれ他の二つの光照射部２から照射光が照射される位置関係になっている。
【０１０４】
この参考例４において、ロフト角が正常の場合には、光反射部３で反射された反射光が、受光部４の左右方向及び上下方向の中央において、上下方向へ五つ並んだ状態に現れる。又、ロフト角がハンドレイトの場合には、各光反射部３で反射された五つの反射光が、受光部４の左右方向の中央において、受光部４の上部に五つ並んだ状態に現れる。更に、ハンドファーストの場合には、光反射部３で反射された五つの反射光が、受光部４の左右方向の中央において、受光部４の下部に五つ並んだ状態に現れる。
【０１０５】
ライ角が正常の場合には、各光反射部３で反射された反射光が、受光部４の左右方向及び上下方向の中央において、上下方向へ五つ並んだ状態に現れる。又、ライ角がアップライトの場合には、１つの反射光が、受光部４の左右方向及び上下方向の中央にポイント状に表れ、二つの反射光が、中心の反射光の右側斜め上に二つのポイント状に表れ、更に、二つの反射光が中心の反射光の右側斜め下に二つのポイント状に表れる。このように、ライ角に狂いが生じている場合には、５つの反射光が互いに左右方向へズレるように表れるため、ライ角の狂いが仮に僅かの場合であっても、五つの反射光の位置関係から容易にライ角の狂いを認識することができる。
【０１０６】
フェース面が正常の場合には、受光部４の左右方向及び上下方向の中央において、５つのポイント状の反射光が縦方向に並んだ状態に現れる。又、フェース面がオープンの場合には、受光部の上下方向の中央であって、受光部の右部に五つのポイント状の反射光が縦方向に並んだ状態に現れる。更に、フェース面がクローズの場合には、受光部の上下方向の中央であって、受光部の左部に五つのポイント状の反射光が縦方向に並んだ状態に現れる。
【０１０７】
このように、この参考例４において、受光部４に表示された五つの反射光の位置の違いによって、ロフト角の狂い、ライ角の狂い、フェース面の向きの狂い同士を明確に区別することができる。
【０１０８】
図２５、図２６は、参考例５を示す。この参考例５の特徴は、参考例４と比較して、光照射部２を垂直方向へ向けて線状の反射光を出力する、いわゆる、ラインレーザで構成した点にある。光反射部３については、参考例４と同様に、平坦面状の３つの光反射部が縦方向へ設けられている。
【０１０９】
この参考例５において、図２６に示すように、ロフト角が正常の場合には、受光部４の左右方向及び上下方向の中央において、反射光は縦長の三つの直線として、１つの直線上に並んだ状態に現れる。又、ロフト角がハンドレイトの場合には、反射光は受光部４の左右方向の中央であって受光部４の上部に、縦長の三つの直線として、１つの直線上に並んだ状態に現れる。更に、フェース面がハンドファーストの場合には、反射光は受光部４の左右方向の中央であて受光部４の上部に、縦長の三つの直線として１つの直線上に並んだ状態に現れる。
【０１１０】
ライ角が正常の場合には、受光部４の左右方向及び上下方向の中央において、反射光は縦長の三つの直線として、１つの直線上に並んだ状態に現れる。又、ライ角がアップライトの場合には、反射光は縦長の三つの直線として、受光部４の右上から左下に向けて斜めに位置する形態に表れる。更に、ライ角がフラットの場合には、反射光は縦長の三つの直線として、受光部４の左上から右下に向けて斜めに位置する形態に表れる。このように、ライ角に狂いが生じている場合には、三つの反射光が互いに左右方向へズレるようにして受光部４に表示されるため、ライ角の狂いが仮に僅かの場合であっても、三つの反射光の位置関係から容易にライ角の狂いを認識することができる。
【０１１１】
フェース面が正常の場合には、受光部４の左右方向及び上下方向の中央において、三つの反射光が縦長の三つの直線として、１つの直線上に並んだ状態に現れる。又、フェース面がオープンの場合には、三つの反射光が受光部４の右部に、縦長の三つの直線として、１つの直線上に並んだ状態に現れる。更に、フェース面がクローズの場合には、三つの反射光が受光部４の左部に、縦長の三つの直線として１つの直線上に並んだ状態に現れる。
【０１１２】
このように、この参考例５において、反射光の位置の違いによって、ロフト角の狂い、ライ角の狂い、フェース面の向きの狂いを明確に区別することができる。
【０１１３】
図２７，図２８は、参考例６を示す。この参考例６の特徴は、参考例４と比較して、光反射部３を垂直方向へ向けて凸状の湾曲面で構成した点にある。ポイント状の５つの光照射部２を縦方向へ並べて、五つの照射光を出力するようにした点については参考例４と同様である。
【０１１４】
この参考例６において、図２８に示すように、ロフト角が正常の場合には、受光部４の左右方向及び上下方向の中央において、５つの反射光が縦方向に一列に並んだ状態に表れる。又、ロフト角がハンドレイトの場合には、５つの反射光が受光部４の左右方向の中央であって受光部４の上部において、５つの反射光が縦方向に一列に並んだ状態に表れる。更に、ロフト角がフラットの場合には、５つの反射光が受光部４の左右方向の中央であって受光部４の下部において、５つの反射光が縦方向に一列に並んだ状態に表れる。
【０１１５】
ライ角が正常の場合には、受光部４の左右方向及び上下方向の中央において、５つの反射光が縦方向に一列に並んだ状態に表れる。ライ角がアップライトの場合には、５つの反射光が受光部４の左右方向及び上下方向の中央において、受光部４の右上から左下へ向けて５つの反射光が斜めの直線上に表れる。ライ角がフラットの場合には、５つの反射光が受光部４の左右方向及び上下方向の中央において、受光部４の左上から右下へ向けて５つの反射光が斜めの直線状に表れる。
【０１１６】
フェース面が正常の場合には、受光部４の左右方向及び上下方向の中央において、５つの反射光が縦長の直線状に並んだ状態に表れる。又、フェース面がオープンの場合には、５つの反射光が受光部４の上下方向の中央であって受光部４の右部において、５つの反射光が縦長の直線状に並んだ状態に表れる。更に、フェース面がクローズの場合には、５つの反射光が受光部４の上下方向の中央であって受光部の左部において、５つの反射光が縦長の直線状に並んだ状態に表れる。
【０１１７】
この参考例６においては、受光部に表れた五つの反射光の位置の違いによって、ロフト角の狂い、ライ角の狂い、フェース面の向きの狂い同士を明確に区別することができる。
【０１１８】
図２９，図３０、図３１は、参考例７を示す。図２９はゴルフクラブＧのフェース面Ｆに取り付けられた光反射部３の正面図を示し、図３０は光反射部３の側面図を示し、図３１は受光部４に投影された反射光の形態を示す。
【０１１９】
この参考例７の特徴は、図２９に示すように、光反射部３が水平方向に向けて凹状に曲折した形状になっている。図３０に示すように、該光反射部３は、平坦面からなる二つの光反射面１３ａ、１３ｂをく字状に設けることにより形成することができる。ここで、前記光反射部３は、該各光反射面１３ａ、１３ｂに照射光Ｓ１、Ｓ２が１つづつ照射される大きさに形成されている。即ち、この参考例７は、本発明の実施形態の光照射部２と光反射部３とを９０度回転させて配置した形態である。
【０１２０】
そして、この参考例７においては、反射光の形態は、図４乃至図１２に示す第１実施形態に示す反射光の形態を９０度回転させた形態である。この参考例７においても、第１実施形態と同様に、受光部４における二つの反射光の位置の違いによって、ロフト角の狂い、ライ角の狂い、フェース面の向きの狂い同士を明確に分析することができる。
【０１２１】
同様に垂直水平でなくても、照射部と反射面を任意の角度に回転させても、第１実施形態と同様にロフト角の狂い、ライ角の狂い、フェース面の向きの狂い同士を明確に分析することができる。
【０１２２】
図３２、図３３は参考例８を示す。この参考例８の特徴は、図１６、図１７に示す第１実施形態の光照射部２と光反射部３を共に、９０度回転させて設けた点にある。この参考例８において、受光部４上における反射光の位置は、図１７に示す第１実施形態の場合と同様に、受光部４における反射光の位置に違いによって、図３３に示すように、ロフト角の狂い、ライ角の狂い、フェース面の向きの狂い同士を明確に区別することができる。
【０１２３】
図３４、図３５は参考例９を示す。この参考例９の特徴は、光反射部３を水平方向へ向けて凸状又は凹状の湾曲面によって構成した点にある。図３４は、ゴルフクラブＧのフェース面Ｆに取り付けられた光反射部３を正面から観ている図である。この参考例９は、図１４、図１５に示す参考例２の光照射部２と光反射部３とを共に９０度回転して配置した場合を示す。図３５は受光部４に表示された反射光の位置を示す図である。図３５は参考例２の図１５を９０度回転した状態にある。この第１１実施形態においても、受光部４に表示された二つの反射光の位置の違いによって、ロフト角の狂い、ライ角の狂い、フェース面の向きの狂い同士を明確に区別することができる。
【０１２４】
図３６乃至図３８は参考例１０を示す。図３６は、ゴルフクラブＧのフェース面Ｆに取り付けられた光反射部３を正面から観ている図である。図３７は光反射部３の側面図である。図３８は、受光部４に表示された反射光の形態を示す図である。
【０１２５】
この参考例１０の特徴は、図３７に示すように、光反射部３が垂直方向に向けて凸状の湾曲面で構成し、且つ該光反射部３を上下二段に設けた点にある。光照射部は、縦長のレーザ光を出力するラインレーザで構成されている。この第１２実施形態においては、光照射部は縦長のライン状の１つの照射光Ｓを出力するが、該照射光Ｓは二つの光反射部３、３で反射されて二つの反射光が受光部４に表示されるようになっている。
【０１２６】
この参考例１０において、図３８に示すように、ロフト角が正常の場合には、受光部４の左右方向及び上下方向の中央において、縦長の二つの反射光が一列に並んだ状態に表れる。又、ロフト角がハンドレイトの場合には、受光部４の左右方向の中央であって受光部の上部において、縦長の二つの反射光が一列に並んだ状態に表れる。更に、ロフト角がハンドファーストの場合には、受光部４の左右方向の中央であって受光部４の上部において、縦長の二つの反射光が一列に並んだ状態に表れる。
【０１２７】
ライ角が正常の場合には、受光部４の左右方向及び上下方向の中央において、縦長の二つの反射光が一列に並んだ状態に表れる。又、ライ角がアップライトの場合には、受光部４の左右方向及び上下方向の中央において、右上がりの二つの反射光が表示される。更に、ライ角がフラットの場合には、受光部４の左右方向及び上下方向の中央において、右下がりの二つの反射光が表示される。このように、ライ角に狂いが生じている場合には、反射光の断面形状の傾きにも表れる。
【０１２８】
フェース面が正常の場合には、受光部４の左右方向及び上下方向の中央において、縦長の二つの反射光が一列に並んだ状態に表れる。又、フェース面がオープンの場合には、受光部４の上下方向の中央であって受光部４の右部において、縦長の二つの反射光が一列に並んだ状態に表れる。更に、フェース面がクローズの場合には、受光部４の上下方向の中央であって受光部の左部において、縦長の二つの反射光が一列に並んだ状態に表れる。
【０１２９】
この参考例１０の場合には、受光部４に表示された二つの反射光の位置や反射光の断面形状の傾きの違いによって、ロフト角の狂い、ライ角の狂い、フェース面の向きの狂いを明確に区別することができる。
【０１３０】
第１実施形態においては、受光部４に表示された反射光の位置、反射光の断面形状の傾きの違いによって、アドレスの際におけるロフト角、ライ角、及びフェース面の向きの狂い同士を区別したが、例えば、光照射部２をラインレーザで構成し、光反射部３を湾曲面で構成し、且つ、該湾曲面の曲率を途中で変化させることにより、アドレスの際におけるロフト角、ライ角、及びフェース面の向きの狂いに応じて、受光部４における反射光の断面形状を拡大又は縮小させることにより、アドレスの際におけるロフト角、ライ角、及びフェース面の向きの狂いの違いを、受光部４に表示された反射光の断面形状の縮尺の相違として捉えることも可能である。
【０１３１】
又、前述のように、光照射部２をラインレーザで構成し、光反射部３を湾曲面で構成し、且つ、該湾曲面の曲率を途中で変化させることにより、アドレスの際におけるロフト角、ライ角、及びフェース面の向きの狂いに応じて、受光部４における反射光の断面形状を変化させることにより、アドレスの際におけるロフト角、ライ角、及びフェース面の向きの狂いの違いを、受光部４に表示された反射光の断面形状の相違として捉えることも可能である。更に、複数の平坦状の光反射部３を設ける場合、光反射部３同士を接合しても良いし、又は、隙間を開け、光反射部３同士の延長において、光反射部３同士が交差するようにしても良い。更に、以上の実施形態においては、光反射部３を水平方向又は垂直方向へ凸状又は凹状に形成した場合について説明したが、水平方向と垂直方向との間の任意の方向へ凸状又は凹状に設けても良い。
【０１３２】
図３９は第２実施形態を示す。この第２実施形態の特徴は、光照射部２をゴルフクラブＧのクラブヘッドの上方に設け、該クラブヘッドＫの上方から、光反射部に反射光を照射させて、その反射光を受光部４に表示させるようにした点にある。この第２実施形態においても、受光部４に投影された反射光の形態によって、ロフト角の狂い、ライ角の狂い、フェース面の向きの狂いを明確に区別することができる。
【０１３３】
図４０は第３実施形態を示す。この第３実施形態の特徴は、光照射部２をゴルフクラブＧのクラブヘッドの下方に設け、該クラブヘッドの下方から、光反射部に反射光を照射させて、その反射光を受光部４に投影させるようにした点にある。この第３実施形態においても、受光部４に表示された反射光の形態によって、ロフト角の狂い、ライ角の狂い、フェース面の向きの狂いを明確に区別することができる。
【０１３４】
図４１は第４実施形態を示す。この第４実施形態の特徴は、光照射部２をゴルフクラブＧのクラブヘッドの側方に設け、該クラブヘッドの側方から、光反射部に反射光を照射させて、その反射光を受光部４に投影させるようにした点にある。この第４実施形態においても、受光部４に表示された反射光の形態によって、ロフト角の狂い、ライ角の狂い、フェース面の向きの狂いを明確に区別することができる。
【０１３５】
図４２乃至図４４は、前述した、ロフト角、ライ角、及びフェース面の狂いを数値化するための手段である。先ず、図４２は、ロフト角を数値化するための手段である。図４２は、受光部４の正面図であって、反射光Ｈ１、Ｈ２が表示された状態を示す。受光部４はフェース面から１．５メートル離間した位置に設けられているとする。該受光部４の下縁からの寸法に応じて角度目盛りが記載されている。同図中、０度とは、ロフト角が０度であることを意味する。同図４２に示す場合には、ロフト角が３度狂っていることを示している。
【０１３６】
図４３は、ライ角を数値化するための手段である。図４３は、受光部４の正面図であって、二つの反射光Ｈ１、Ｈ２が表示された状態を示す。受光部４はゴルフクラブのフェース面から１．５メートル離間した位置に設けられているとする。該受光部４には、１．８ｍｍ間隔で記載された目盛りが記載されている。受光部４における反射光Ｈ１、Ｈ２の表示位置の目盛りを読み取ることにより、ライ角の狂いを数値化することができる。
【０１３７】
図４４は、フェース面の狂いを数値化するための手段である。図４４は、受光部４の正面図であって、二つの反射光Ｈ１、Ｈ２が表示された状態を示す。受光部４はゴルフクラブのフェース面から１．５メートル離間した位置に設けられているとする。該受光部４には、基準となる０度から離間する寸法に応じて角度目盛りが記載されている。同図４４の場合には、フェース面の向きに２度の狂いが生じている場合を示している。
【０１３８】
以上の説明においては、本発明をゴルフクラブのアドレスの際のロフト角、ライ角、及びフェース面の向きの狂いを検出する場合に適用した実施形態について説明したが、本発明を打撃面を有する他の運動具に適用することも可能である。即ち、運動具の打撃面に光反射部を取り付け、該光反射部に光を照射して該光反射部で反射された反射光を受光部に投影することで、該反射光の分光の形態に基づき、前記打撃面の３軸方向の傾斜角を検出することができる。つまり、ゴルフクラブのロフト角、ライ角、及びフェース面の向きの傾きが、前記打撃面の３軸方向の傾斜に該当するため、前記各実施形態のロフト角、ライ角、及びフェース面の向きの狂いを検出する場合と同様にして、他の運動具の打撃面の３軸方向の傾斜角を検出することができるものである。
【０１３９】
又、以上の説明では、反射光を受光部に投影するようにしたが、専用の受光部を設けることなく、反射光を建物の壁面等に当てるようにしても良い。
【図面の簡単な説明】
【０１４０】
【図１】ゴルフアドレスのズレ検出装置の概観と、当該検出装置の前側で顧客がアドレスの姿勢を採っている状態を示す図である。（第１実施形態）
【図２】光照射部、光反射部、受光部、ゴルフクラブの位置関係を示す概略図である。（第１実施形態）
【図３】フェース面に光反射部を設けた状態の斜視図である。（第１実施形態）
【図４】光反射部を構成する二つの平面鏡の成す角度を示す図である。（第１実施形態）
【図５】フェース面を斜め前方から観た状態の図である。（第１実施形態）
【図６】受光部に表示された反射光の位置と、光照射部との位置関係を示す図である。（第１実施形態）
【図７】光反射部で反射光を反射している状態を示す斜視図である。（第１実施形態）
【図８】受光部に投影された反射光の位置と、光照射部との位置関係を示す図である。（第１実施形態）
【図９】光反射部で反射光を反射している状態を示す斜視図である。（第１実施形態）
【図１０】受光部に投影された反射光の位置と、光照射部との位置関係を示す図である。（第１実施形態）
【図１１】光反射部で反射光を反射している状態を示す斜視図である。（第１実施形態）
【図１２】受光部に投影された反射光の形態と、光照射部との位置関係を示す図である。（第１実施形態）
【図１３】光反射部の斜視図である。（参考例１）
【図１４】光反射部の斜視図である。（参考例２）
【図１５】受光部に表示された反射光の形態と、光照射部との位置関係を示す図である。（参考例２）
【図１６】図１と同様の図である。（第１実施形態）
【図１７】受光部に表示された反射光の形態を示す図である。（第１実施形態）
【図１８】ラインレーザの構成を示す図である。（第１実施形態）
【図１９】ラインレーザの構成を示す図である。（第１実施形態）
【図２０】光反射部の斜視図である。（参考例３）
【図２１】受光部に表示された反射光の形態を示す図である。（参考例３）
【図２２】光反射部の正面図である。（参考例４）
【図２３】光反射部の側面図である。（参考例４）
【図２４】受光部に表示された反射光の形態を示す図である。（参考例４）
【図２５】光反射部の正面図である。（参考例５）
【図２６】受光部に表示された反射光の形態を示す図である。（参考例５）
【図２７】光反射部の正面図である。（参考例６）
【図２８】受光部に表示された反射光の形態を示す図である。（参考例６）
【図２９】光反射部の正面図である。（参考例７）
【図３０】光反射部の側面図である。（参考例７）
【図３１】受光部に表示された反射光の形態を示す図である。（参考例７）
【図３２】光反射部の正面図である。（参考例８）
【図３３】受光部に表示された反射光の形態を示す図である。（参考例８）
【図３４】光反射部の正面図である。（参考例９）
【図３５】受光部に表示された反射光の分光の形態を示す図である。（参考例９）
【図３６】光反射部の正面図である。（参考例１０）
【図３７】光反射部の側面図である。（参考例１０）
【図３８】受光部に表示された反射光の形態を示す図である。（参考例１０）
【図３９】顧客が、ゴルフアドレスのズレ検出装置の前側で、ゴルフクラブによるアドレスの姿勢を採った状態を示す図である。（第２実施形態）
【図４０】顧客が、ゴルフアドレスのズレ検出装置の前側で、ゴルフクラブによるアドレスの姿勢を採った状態を示す図である。（第３実施形態）
【図４１】顧客が、ゴルフアドレスのズレ検出装置の前側で、ゴルフクラブによるアドレスの姿勢を採った状態を示す図である。（第４実施形態）
【図４２】受光部の正面図である。
【図４３】受光部の正面図である。
【図４４】受光部の正面図である。
【図４５】ロフト角を説明する図である。
【図４６】ライ角を説明する図である。
【図４７】フェース面の向きを説明する図である。
【図４８】ロフト角の大小によって打球方向が変化する状態を示す図である。
【図４９】ライ角のズレによってフェース面の向きの方向がズレる状態を示す図である。
【図５０】ライ角のズレによってフロフト角がズレる状態を示す図である。
【図５１】従来技術の概観を示す図である。
【図５２】従来技術の装置において、光照射部、光反射部、受光部、ゴルフクラブの位置関係を示す概略図である。
【図５３】反射光の分光の形態を示す図である。
【符号の説明】
【０１４１】
１  ゴルフアドレスのズレ検出装置
２  光照射部
３  光反射部
４  受光部
Ｇ  ゴルフクラブ
Ｋ  クラブヘッド
Ｓ  照射光
Ｈ  反射光
【図１】
0004806574.tif 000002
【図２】
0004806574.tif 000003
【図３】
0004806574.tif 000004
【図４】
0004806574.tif 000005
【図５】
0004806574.tif 000006
【図６】
0004806574.tif 000007
【図７】
0004806574.tif 000008
【図８】
0004806574.tif 000009
【図９】
0004806574.tif 000010
【図１０】
0004806574.tif 000011
【図１１】
0004806574.tif 000012
【図１２】
0004806574.tif 000013
【図１３】
0004806574.tif 000014
【図１４】
0004806574.tif 000015
【図１５】
0004806574.tif 000016
【図１６】
0004806574.tif 000017
【図１７】
0004806574.tif 000018
【図１８】
0004806574.tif 000019
【図１９】
0004806574.tif 000020
【図２０】
0004806574.tif 000021
【図２１】
0004806574.tif 000022
【図２２】
0004806574.tif 000023
【図２３】
0004806574.tif 000024
【図２４】
0004806574.tif 000025
【図２５】
0004806574.tif 000026
【図２６】
0004806574.tif 000027
【図２７】
0004806574.tif 000028
【図２８】
0004806574.tif 000029
【図２９】
0004806574.tif 000030
【図３０】
0004806574.tif 000031
【図３１】
0004806574.tif 000032
【図３２】
0004806574.tif 000033
【図３３】
0004806574.tif 000034
【図３４】
0004806574.tif 000035
【図３５】
0004806574.tif 000036
【図３６】
0004806574.tif 000037
【図３７】
0004806574.tif 000038
【図３８】
0004806574.tif 000039
【図３９】
0004806574.tif 000040
【図４０】
0004806574.tif 000041
【図４１】
0004806574.tif 000042
【図４２】
0004806574.tif 000043
【図４３】
0004806574.tif 000044
【図４４】
0004806574.tif 000045
【図４５】
0004806574.tif 000046
【図４６】
0004806574.tif 000047
【図４７】
0004806574.tif 000048
【図４８】
0004806574.tif 000049
【図４９】
0004806574.tif 000050
【図５０】
0004806574.tif 000051
【図５１】
0004806574.tif 000052
【図５２】
0004806574.tif 000053
【図５３】
0004806574.tif 000054